(57)【特許請求の範囲】
【請求項１】
魚釣り等に用いられる収納容器であって、
箱形の容器本体と、
前記容器本体に開閉自在に取り付けられた蓋体と、
前記容器本体に両端が連結された肩掛帯と、
前記肩掛帯上に配置され、前記肩掛帯の長さ方向中央付近において他の部分より幅狭のくびれ部と、前記肩掛帯の長さ方向において前記くびれ部を間に挟んで設けられる一対の前記くびれ部より幅広の部分とを有するパットと、
を備え、
一対の前記幅広の部分には、前記肩掛帯が表面側から裏面側へ至り再度表面側に挿通可能な２つの割部から成る挿通部分がそれぞれ設けられる、
収納容器。
【請求項２】
前記パッドは前記挿通部分を長さ方向両端付近にそれぞれ有している、請求項１に記載の収納容器。
【請求項３】
前記パッドは布地層と前記布地層に貼り合わされたゴム地層とから成る、請求項１または２に記載の収納容器。
【請求項４】
前記容器本体は両側面にそれぞれ係止部を有し、前記肩掛帯は両端がそれぞれ前記係止部に脱着自在に連結されている、請求項１〜３のいずれかに記載の収納容器。
【発明の詳細な説明】
【０００１】
【発明の属する技術分野】
本発明は魚釣り等に用いる収納容器に関する。
【０００２】
【従来の技術】
従来の収納容器は、プラスチック製の箱形の容器本体と、容器本体に蝶番等で開閉自在に取り付けられた蓋体とを有している。また、容器本体の上部には運搬時にユーザが把持するための把持部が設けられ、さらに帯状の肩掛帯が容器本体に連結されている。
【０００３】
このような収納容器は、その用途に合わせて様々な大きさのものがあり、釣針入れや釣り餌入れ等の様々な用途に用いられる。例えば、保冷用収納容器であれば、容器本体は内部に断熱材が充填されており、容器本体内の保冷性を高めている。そして、ドライブや釣りなどのレジャーの際に容器本体内に保冷したいジュースや魚が保冷剤と共に収納される。
【０００４】
この種の収納容器では、ユーザが把持部を手で把持して収納容器を運搬したり、肩掛帯を肩に掛けて収納容器を担ぎ上げて運搬したりする。
【０００５】
【発明が解決しようとする課題】
ジュースを収納したり釣り上げた魚を収納して重量化した収納容器をユーザが肩掛帯を肩に掛けて運搬する場合、その重みは当然ユーザの肩に全てかかることになり、肩掛帯が肩に食い込んで収納容器の運搬がつらくなると共に、収納容器の重みによって肩掛帯が肩上で滑って上手く収納容器を運搬できない場合がある。特に、場所がら撥水性の上着を着用することが多い釣時では肩掛帯が肩上で滑りやすく、さらに肩づれをおこしてユーザが肩を痛めてしまう場合もあり得る。
【０００６】
本発明の課題は、運搬が容易な収納容器を提供することにある。
【０００７】
【課題を解決するための手段】
発明１にかかる収納容器は、魚釣り等に用いられる収納容器であって、箱形の容器本体と、容器本体に開閉自在に取り付けられた蓋体と、容器本体に両端が連結された肩掛帯と、肩掛帯上に配置され肩掛帯の長さ方向中央付近において他の部分より幅狭のくびれ部と肩掛帯の長さ方向においてくびれ部を間に挟んで設けられる一対のくびれ部より幅広の部分とを有するパットとを備えている。そして、上記の一対の幅広の部分には、肩掛帯が表面側から裏面側へ至り再度表面側に挿通可能な２つの割部から成る挿通部分がそれぞれ設けられる。
【０００８】
この場合には、ユーザは肩掛帯上のパットが肩に当たるように肩掛帯を肩に掛けて収納容器を運搬する。ここで、パットは運搬時にユーザの肩に掛かる振動を抑える緩衝体となりユーザの肩への負担を軽減する。また、パットの幅狭のくびれ部が肩峰を覆うようにすることにより、運搬時にパットが肩上で肩掛帯の長さ方向にずれるのを抑えることもできる。
【０００９】
発明２にかかる収納容器は、発明１の容器であって、パッドは上記の挿通部分を長さ方向両端付近にそれぞれ有している。
この場合には、パッドの長さ方向両端付近に設けられた挿通部分において、肩掛帯がそれぞれ表面側から裏面側へ至り再度表面側に挿通して、パッドが肩掛け帯上に配置されている。ユーザは裏側面を肩に当てながらパッドを用いるが、パッドのくびれ部においては肩掛帯がパッドの表側面を通過するので、ユーザの肩峰に肩掛帯が直接触れることがなくユーザの肩への負担を軽減可能である。また、肩掛帯からユーザの肩方向に向けてパッドに大きな力が加わっていない場合には、パッドを肩掛け帯上において長さ方向に自在に移動させることもでき、パッド位置の調整も容易である。
【００１０】
発明３にかかる収納容器は、発明１または２の容器であって、パッドは布地層と布地層に貼り合わされたゴム地層とから成る。
ユーザの肩に当接する裏側面をゴム地層とすることで、収納容器運搬時にパッドがユーザの肩上でずれるのをさらに有効に防止できる。
発明４にかかる収納容器は、発明１〜３のいずれかの容器であって、容器本体は両側面にそれぞれ係止部を有し、肩掛帯は両端がそれぞれ係止部に脱着自在に連結されている。
【００１１】
この場合には、不要な際には肩掛帯を収納容器から取り外して収納できる。
【００１２】
【発明の実施の形態】
［第１実施形態］
以下、本発明の第１実施形態について図面を参照しつつ説明する。
本発明の第１実施形態を採用した収納容器は、図１〜４に示すように、箱形の容器本体１と、容器本体１の開口を覆うように配置される内蓋２と、蝶番１０によって開閉可能なように容器本体１の上部設けられ内蓋２（図４参照）を内包する蓋体３と、蓋体３を容器本体１に固定する固定部４と、容器本体１に取り付けられ収納容器の運搬時に把持する把持部５とを有している。
【００１３】
容器本体１は、図４に詳しく示すように、ポリエチレン，ポリプロピレン，ABS樹脂等の一対の合成樹脂材１１の間にポリウレタン等の発泡樹脂材１２が挟み込まれて形成されている。この発泡樹脂材１２が容器本体１の断熱性を向上させている。また、合成樹脂材１１は外観を布状に似せるためエンボス加工が施されている。容器本体１の上端縁部１ａには内蓋２を係止可能なファスナーレール１３が背面側を除いて形成されている。また、図１及び図２に示すように、容器本体１の正面１ａには釣りに用いる小物等を収納可能なポケット部１４が設けられている。ポケット部１４の上縁のファスナ１４ａを開閉することによってポケット部１４内に小物を収納可能である。容器本体１の側面底部側にはシート材１５がポケット部１４も覆うように縫合または接着されている。このシート材１５は不織布等の布状部材やPVC等から成る。
【００１４】
また、図２に示すように、容器本体１の両側面１ｂの中央付近にはそれぞれレザー製のハンドル１６が連結されている。ハンドル１６はナイロン繊維等からなる帯状部材であって、容器本体側面１ｂの底部側部分と高さ方向中央付近との２カ所で容器本体１に縫合されており、この縫合部分間においてユーザがハンドル１６を把持可能になっている。また、これらの縫合部分間においてその幅は他の部分より小さくなっておりユーザが容易にこの部分を把持できるように工夫されている。さらに、ハンドル１６の上端にはフック１６ａが連結されており、肩掛帯１７が連結されている。
【００１５】
図２に示すように、肩掛帯１７はナイロン繊維等から形成される帯状の本体部１９と、本体部１９の両端側にそれぞれ配置されるバックル１８と、本体部１９上に配置されるパット２０とを有している。バックル１８はプラスチックまたは金属から形成され、ハンドル１６上端のフック１６ａに脱着自在に連結されている。また、図６及び図７に詳しく示すように、パッド２０は本体部１９の長さ方向に延び長さ方向中央付近において幅狭に形成されたくびれ部２０ｃを有する部材であって、裏面側のシリコンゴムからなるゴム地層Ｒと表面側のナイロン繊維等から形成された布地層Ｓとを有している。なお、ゴム地層Ｒと布地層Ｓとの間に緩衝層をさらに配置してもよい。パッド２０は長さ方向両端付近にそれぞれ一対の割部から成る挿通部分２０ａ，２０ｂを有し、挿通部分２０ａ，２０ｂにおいて、帯状の本体部１９がそれぞれ表面側から一旦裏側面側へ至り再度表面側に挿通している。なお、パッド２０の大きさは任意に設定可能であるが、およそ長さ方向に１０〜２５ｃｍ，幅方向に５〜１５ｃｍ程度である。くびれ部２０ｃは他の部分の幅方向に比べておおよそ０．７〜０．９倍程度の幅を有することになる。
【００１６】
内蓋２は、図４に示すように、容器本体１と同様に一対の防水性シート２１の間にポリスチレン等の合成樹脂板２２が挟み込まれて形成されている。容器本体１の背面側において縫合等によって固定されており、容器本体１上面開口を開閉自在に覆っている。容器本体１に縫合された部分以外の周縁部にはファスナー２３が配置されており、容器本体１のファスナーレール１３と噛合する。
【００１７】
蓋体３は、図５に示すように、ポリプロピレン，ポリエチレン，ABS樹脂等の熱可塑性樹脂から形成される板状部材である。そして、矩形板状の蓋本体３１と蓋本体３１の周縁が略直角に折り曲げられて蓋本体３１と一体的に形成されたカバー部３２とを有している。後に詳しく説明するように、蓋本体３１とカバー部とは１つの熱可塑性樹脂板から加工されている。この蓋体３は、図３に示すように、蝶番１０によって容器本体１の背面側において開閉自在に連結されており、倒伏時において容器本体１の上端周縁をカバー部３２が覆うように容器本体１上面に配置されている。そして、倒伏時において容器本体１の正面１ａ上端側に配置される固定部４によって固定される。なお、図２に示すように、カバー部３２の深さは容器本体１の正面側ほど浅く背面側ほど順次深くなるように傾斜して形成されている。さらに、蓋体３の蓋本体３１上には長辺方向に伸びる凸状部３１ａが形成されている。凸状部３１ａは、蓋本体３１の内面側において外面側に凹入し外面側において凸出している。
【００１８】
また、蓋本体３１の角部付近には円形に凹入したドリンクホルダー３３が形成されている。図８に詳しく示すように、ドリンクホルダー３３は、缶ジュース等を配置可能な経を有し蓋本体３１の表面より窪んで円形に形成されるドリンク台３３ａと、ドリンク台３３ａよりさらにもう一段窪んで形成された排水部３３ｂとを有している。排水部３３ｂは蓋本体３１の角部へ連続して面一に形成され蓋本体３１の外部へ至る排水路３３ｃが併設されており、ドリンクホルダー３３内に溜まった水は排水部３３ｂ及び排水路３３ｃによって外部に排出される。
【００１９】
この蓋体３は、以下のようにして製造される。
まず、図９（ａ）に示すように、所定の熱可塑性樹脂からなる板状部材を用意する。そして、蓋本体３１の凸状部３１ａやカバー部３２，ドリンクホルダー３３等が型取られた型によって熱圧加工を施す。この熱圧加工によって熱可塑性樹脂板は成型され、図９（ｂ）に示すように、蓋本体３１とカバー部３２とが一体的に成型される。なお、必要に応じて、図９（ｃ）に示すように、成型した蓋体３にレザーシートや不織布，織物布またはこれらにPVCをコーティングした布材を貼り付けてもよい。布材を貼り付けるのは表面のみでも表裏両面に貼り付けてもよい。
【００２０】
このように構成された収納容器では、ユーザはパット２０が肩峰に当たるように肩掛帯１７を肩に掛けて収納容器を運搬する。ここで、パット２０は運搬時にユーザの肩に掛かる振動を抑える緩衝体となりユーザの肩への負担を軽減する。また、パット２０の幅狭のくびれ部２０ｃが肩峰を覆うようにすることにより、運搬時にパット２０が肩上での長さ方向にずれるのを抑えることもできる。また、パット２０は本体部１９が挿通部分２０ａ，２９ｂ挿通部分を挿通することによって本体部に配置されているので、パッド２０のくびれ部２０ｃにおいては本体部１９がパッド２０の表側面を通過する。この結果、本体部１９がユーザの肩峰に直接触れることがなく、肩への負担を軽減できる。また、本体部１９からユーザの肩方向に向けてパッド２０に大きな力が加わっていない場合には、パッド２０を本体部１９上において長さ方向に自在に移動させることもでき、パッド位置の調整も容易である。
【００２１】
［他の実施形態］
（ａ）バックル１８を設けることなく、肩掛帯１７の本体部１９を容器本体１に直接固定してもよい。
【００２２】
【発明の効果】
本発明にかかる収納容器は、容易に肩に掛けて運搬できる。
【図面の簡単な説明】
【図１】本発明の第１実施形態を採用した収納容器の正面図。
【図２】本発明の第１実施形態を採用した収納容器の側面図。
【図３】本発明の第１実施形態を採用した収納容器の上面図。
【図４】本発明の第１実施形態を採用した収納容器の部分断面図。
【図５】本発明の第１実施形態を採用した収納容器の蓋部の断面図。
【図６】パッド２０の拡大図。
【図７】図６のVII−VII断面図。
【図８】蓋部３の部分拡大図。
【図９】本発明の第１実施形態を採用した収納容器の製造工程を示した図。
【符号の説明】
１  容器本体
２  内蓋
３  蓋部
４  固定部
５  把持部
１６  ハンドル
１７  肩掛帯
１８  バックル
１９  本体部
２０  パッド
３１  蓋本体
３１ａ  凸状部
３２  カバー部
３３  ドリンクホルダー
【図１】
0004285842.tif 000002
【図２】
0004285842.tif 000003
【図３】
0004285842.tif 000004
【図４】
0004285842.tif 000005
【図５】
0004285842.tif 000006
【図６】
0004285842.tif 000007
【図７】
0004285842.tif 000008
【図８】
0004285842.tif 000009
【図９】
0004285842.tif 000010